(57)【要約】      （修正有）【課題】簡単な構成で、高耐熱性（熱変形がない）、かつ放熱性に優れたプロジェクタ用液晶表示装置を提供する。【解決手段】  液晶を介して対向配置された各基板を外囲器とする液晶パネルと、この液晶パネルを搭載させる金属プレートとを少なくとも備え、  前記金属プレートは少なくとも前記液晶パネルを搭載する個所およびその周辺が平坦な板状となっているとともに、  前記金属プレートに対する前記液晶パネルの固着はそれらの間に介在される高熱伝導性両面テープによってなされている。【選択図】        図１
2005062726.tif 000002
【特許請求の範囲】
【請求項１】
液晶を介して対向配置された各基板を外囲器とする液晶パネルと、この液晶パネルを搭載させる金属プレートとを少なくとも備え、
前記金属プレートは少なくとも前記液晶パネルを搭載する個所およびその周辺が平坦な板状となっているとともに、
前記金属プレートに対する前記液晶パネルの固着はそれらの間に介在される高熱伝導性両面テープによってなされていることを特徴とするプロジェクタ用液晶表示装置。
【請求項２】
液晶を介して対向配置された各基板を外囲器とする液晶パネルと、この液晶パネルを搭載させる金属プレートと、この金属プレートに固着され前記液晶パネルの液晶表示部を露出させる開口が設けられた遮光板とを備え、
前記金属プレートに対する前記液晶パネルの固着はそれらの間に介在される高熱伝導性両面テープによってなされ、
前記金属プレートの各辺のうち対向する一対の辺を前記液晶パネル側に屈曲させた屈曲部を備えるとともに、前記遮光板の各辺のうち対向する一対の辺を前記金属プレート側に屈曲させた屈曲部を備え、
これら各屈曲部はそれぞれ前記液晶表示パネルの各側面に対向していることを特徴とするプロジェクタ用液晶表示装置。
【請求項３】
金属プレートに対する遮光板の固着は該遮光板に備えられた屈曲部のうち一つの屈曲部の個所にてなされていることを特徴とする請求項２に記載のプロジェクタ用液晶表示装置。
【発明の詳細な説明】
【技術分野】
【０００１】
本発明はプロジェクタ用液晶表示装置に関する。
【背景技術】
【０００２】
プロジェクタ用の液晶表示装置は、それからの画像をレンズで拡大した後にスクリーン等に映像させるため、その大きさは他の通常の液晶表示装置と比較して極めて小さく構成されている。
【０００３】
すなわち、液晶を介して対向配置される各基板のうち一方の基板はシリコン基板で構成され、このシリコン基板の液晶側の面の各画素には、電極、能動素子、信号線等がいわゆる半導体技術により組み込まれ、各画素に生じさせる電界によって液晶の光透過率を独立に制御できるようになっている。
【０００４】
また、前記電極は反射膜の機能をも有し、他の基板側から入射される光を該電極によって反射させることによって、前記液晶を通過する光量を前記他の基板側へ出射させるようになっている。
【０００５】
そして、このように構成される液晶表示装置は、それに近接されて配置される高温の光源からの光が入射されるため、高耐熱性、高耐光性、かつ放熱性に優れたものを得ることが要望される。
【０００６】
従来のこの種の液晶表示装置は、液晶を介して対向配置される各基板を外囲器とする液晶パネルを収納するキャビティ部を成形の自由度が高いプラスチックモールドで形成し、放熱のため裏面を金属プレス部品を塞ぐようにして構成されていた。
【発明の開示】
【発明が解決しようとする課題】
【０００７】
しかし、プラスチックはガラスやシリコンに比べ熱膨張係数が大きいため、その熱膨張差によって液晶パネルに応力がかかり、いわゆる表示むら（輝度むら）が発生し易いという不都合があった。
また、プラスチックモールドおよび金属プレス部品からなるパッケージは多ピース構造となっているため、接着面が多くなり作業性が良好でない構成となっていた。
【０００８】
本発明は、このような事情に基づいてなされたもので、その目的は、簡単な構成にも拘わらず、高耐熱性（熱変形がない）、かつ放熱性に優れたプロジェクタ用液晶表示装置を提供することにある。
【課題を解決するための手段】
【０００９】
本願において開示される発明のうち、代表的なものの概要を簡単に説明すれば、以下のとおりである。
【００１０】
（１）本発明によるプロジェクタ用液晶表示装置によれば、たとえば、液晶を介して対向配置された各基板を外囲器とする液晶パネルと、この液晶パネルを搭載させる金属プレートとを少なくとも備え、
前記金属プレートは少なくとも前記液晶パネルを搭載する個所およびその周辺が平坦な板状となっているとともに、
前記金属プレートに対する前記液晶パネルの固着はそれらの間に介在される高熱伝導性両面テープによってなされていることを特徴とするものである。
【００１１】
（２）本発明によるプロジェクタ用液晶表示装置によれば、たとえば、液晶を介して対向配置された各基板を外囲器とする液晶パネルと、この液晶パネルを搭載させる金属プレートと、この金属プレートに固着され前記液晶パネルの液晶表示部を露出させる開口が設けられた遮光板とを備え、
前記金属プレートに対する前記液晶パネルの固着はそれらの間に介在される高熱伝導性両面テープによってなされ、
前記金属プレートの各辺のうち対向する一対の辺を前記液晶パネル側に屈曲させた屈曲部を備えるとともに、前記遮光板の各辺のうち対向する一対の辺を前記金属プレート側に屈曲ざせた屈曲部を備え、
これら各屈曲部はそれぞれ前記液晶表示パネルの各側面に対向していることを特徴とするものである。
【００１２】
（３）本発明によるプロジェクタ用液晶表示装置によれば、たとえば、（２）の構成を前提とし、金属プレートに対する遮光板の固着は該遮光板に備えられた屈曲部のうち一つの屈曲部の個所にてなされていることを特徴とするものである。
【発明の効果】
【００１３】
上記（１）に示した構成によれば、液晶表示パネルを搭載する部材としてプレス加工ができる金属プレートを用い、それらの固着を高熱伝導性両面テープによって行なっている。このため、熱伝導性に優れるとともに、構成を簡単にできコストの低減が図れる効果を有する。
【００１４】
上記（２）に示した構成によれば、（１）に示した効果を有するとともに、液晶表示パネルを金属プレートと遮光板によって被うことができ、構成が簡単にも拘わらず、耐熱性の対策を容易に行なうことができる。
【００１５】
上記（３）に示した構成によれば、金属プレートと遮光板との熱膨張の差による応力の発生を抑制させることができる。
【発明を実施するための最良の形態】
【００１６】
以下、本発明によるプロジェクタ用液晶表示装置の一実施例を図面を用いて説明をする。
図１は本発明によるプロジェクタ用液晶表示装置の一実施例を示す構成図で、図１（ａ）は平面図、図１（ｂ）は図１（ａ）のｂ−ｂ線における断面図を示している。
【００１７】
まず、金属プレートＭＰがあり、この金属プレートＭＰは比較的厚さの薄い熱伝導性の良好な平板材からプレス加工を用いて構成され、ほぼ矩形状をなしている。
【００１８】
その際の加工で、まず、該金属プレートＭＰの四隅のそれぞれには、該金属プレートＭＰを他の部材に取り付けるための固定部ＦＸが突出して形成され、かつ屈曲部を介して該固定部ＦＸ以外の部分よりも高さを高くして形成されている。
【００１９】
また、該金属プレートＭＰの各四辺のうちの二辺であって互いに対向する一対の辺が後述する液晶表示パネルＰＮＬの搭載側に屈曲された屈曲部ＢＤ１を有している。
【００２０】
この屈曲部ＢＤ１は前記液晶表示パネルＰＮＬの搭載領域を包囲するための壁面の一部を構成するようになっている。このため、該屈曲部ＢＤ１の高さは液晶表示パネルＰＮＬの厚さよりも若干大きな高さを有して形成されている。
【００２１】
このように構成された金属プレートＭＰの中央部には液晶表示パネルＰＮＬが搭載され、これにより、該液晶表示パネルＰＮＬの外輪郭と該金属プレートＭＰの外輪郭との間は比較的狭い領域として形成される。
【００２２】
液晶表示パネルＰＮＬは金属プレートＭＰに対して、それらの間に介在された高熱伝導性両面テープＢＴＰによって固着されるようになっている。この高熱伝導性両面テープＢＴＰは金属プレートＭＰに対する液晶表示パネルＰＮＬの固着の他に、液晶表示パネルＰＮＬに蓄積される熱を速やかに金属プレートＭＰ側に放熱させるための媒体としての機能を有するようになっている。このことから、該高熱伝導性両面テープＢＴＰは少なくとも液晶表示パネルＰＮＬの金属プレートＭＰの対向面の全域に形成される大きさを有している。
【００２３】
ここで、前記液晶表示パネルＰＮＬは、液晶を介して対向配置される各基板のうち一方の基板ＳＵＢ１はたとえばシリコン基板で構成され、このシリコン基板の液晶側の面の各画素には、電極、能動素子、信号線等がいわゆる半導体技術により組み込まれ、また、前記電極は反射膜の機能をも有している。また、他方の基板ＳＵＢ２はたとえばガラス等の透光性の基板から構成されている。
【００２４】
プロジェクタに組み込まれる光源からの光が基板ＳＵＢ２を通して照射され、反射膜からなる前記電極に反射され、再び基板ＳＵＢ２を通して出射されるようになっている。この場合、出射される光は各画素における液晶の光透過率に応じた光量を有するようになる。
【００２５】
ここで、該液晶表示パネルＰＮＬはそのシリコン基板（基板ＳＵＢ１）側において金属プレートＭＰに固着されている。電子回路が組み込まれるシリコン基板側において熱が発生し、この熱を前記高熱伝導性両面テープＢＴＰを介して金属プレートＭＰに放熱させ易くするためである。
【００２６】
また、液晶表示パネルＰＮＬには、その一辺にてフレキシブル配線基板ＦＣＰが接続され、このフレキシブル配線基板ＦＣＰは金属プレートＭＰの外方に引き出されている。
【００２７】
また、金属プレートＭＰには遮光板ＢＬが取り付けられている。この遮光板ＢＬは前記液晶表示パネルＰＮＬの液晶表示部ＡＲを露出させる開口が設けられた板材からなり、該液晶表示部ＡＲ以外の領域の該液晶表示パネルＰＮＬを被うようにして配置されている。
【００２８】
なお、液晶表示パネルＰＮＬの観察側の表面には前記液晶表示ＡＲの外方にて遮光枠ＢＬＦが配置され、これにより、液晶表示パネルＰＮＬへの遮光を確実ならしめている。
【００２９】
前記遮光板ＢＬは、液晶表示部ＡＲの周辺がスクリーンに写り込むのを防ぐため、あるいはガラス表面に付着した異物をデフォーカスさせてスクリーンに写り込まないようにするために設けられている。
【００３０】
また、遮光板ＢＬは、金属プレートＭＰの前記屈曲部ＢＤ１側の各辺はそれぞれ該屈曲部ＢＤ１に当接するようにして延在され、液晶表示パネルＰＮＬのフレキシブル配線基板ＦＣＰが引き出される側とは反対側の辺は屈曲部ＢＤ１を有して金属プレートＭＰに固定されている。
【００３１】
これにより、液晶表示パネルＰＮＬはそれからフレキシブル配線基板ＦＣＰが引き出される側を除いて、下面は金属プレートＭＰ、上面は遮光板ＢＬ、周側面は金属プレートＭＰの屈曲部ＢＤ１および遮光板ＢＬの屈曲部ＢＤ２によって囲まれた空間に位置づけられることになる。
【００３２】
また、金属プレートＭＰに対する遮光板ＢＬの固着は該遮光板ＢＬの一辺でなされていることから、それらの材料の熱膨張係数の相違による応力の発生を低減させることができる。なお、この実施例では、金属プレートＭＰに対する遮光板ＢＬの固着は上述に示したようにしたものであるが、必ずしもこれに限定されることなく、数箇所にわたって固着を施すようにしてもよいことはもちろんである。
【００３３】
このように構成されたプロジェクタ用液晶表示装置は、まず、その金属プレートＭＰが液晶表示パネルＰＮＬを搭載させる板材で構成され、液晶表示パネルＰＮＬの金属プレートＭＰに対する固着は高熱伝導性両面テープＢＴＰによってなされている。
【００３４】
このため、金属プレートＭＰがそれ自体で放熱板として機能するようになる。そして、該金属プレートＭＰを他の材料であって放熱性の良好な基台に取り付けるようにすれば、該基台に放熱をさせる媒体としての機能も有するようになる。
【００３５】
そして、液晶表示パネルＰＮＬに対し、その各面の大部分の面は金属プレートＭＰ（屈曲部ＢＤ１）、遮光板ＢＬ（屈曲部ＢＤ２）が対向あるいは接触する構成となり、より放熱効果を高めることはもちろんのこと、湿気の侵入の経路を狭めることになることから耐湿性を大幅に向上させることができる。このことは、換言すれば液晶表示パネルＰＮＬの数すくない面のみ（たとえばフレキシブル配線基板ＦＣＰが引き出される面）において耐湿性の対策を施せば足りることを意味する。
【００３６】
上述した液晶表示パネルＰＮＬは、その一方の基板がシリコン半導体によって構成されたものであるが、必ずしもこれに限定されることはなくたとえばガラス基板であってもよいことはいうまでもない。
【図面の簡単な説明】
【００３７】
【図１】本発明によるプロジェクタ用液晶表示装置の一実施例を示す構成図で、（ａ）は平面図、（ｂ）は（ａ）のｂ−ｂ線における断面図である。
【符号の説明】
【００３８】
ＭＰ……金属プレート、ＦＸ……固定部、ＰＮＬ……液晶表示パネル、ＢＤ１、ＢＤ２……屈曲部、ＢＴＰ……高熱伝導性両面テープ、ＳＵＢ１、ＳＵＢ２……基板、ＦＣＰ……フレキシブル配線基板。ＢＬ……遮光板、ＡＲ……液晶表示部。
【図１】
2005062726.tif 000003